(57)【要約】
【課題】　各種類の情報製品の間でのデータを、コンピューターの媒介によらず、互いに直接転送、保存することが可能であるデジタルデータ転送装置を提供する
【解決手段】　デジタルデータ転送装置１は、回路板２には少なくとも電源回路２１、ＵＳＢインタフェース回路２２、中央処理装置３、コネクタ４１、コネクタ４２及び電池５を有する。電源５は電源回路２１により中央処理装置３及びＵＳＢインタフェース回路２２に安定な直流電源を適当に提供する。中央処理装置３は一時保存するメモリーを内蔵し、各部のユニットを接続駆使し、内蔵されたプログラムの命令によりデータの入力及び出力を執行する。コネクタ４１、コネクタ４２はデータの高速な転送を提供する汎用シリアルバスコネクタ（ＵＳＢコネクタ）であってＵＳＢインタフェース回路２２に接続され中央処理装置３と繋がることでデジタルデータを転送する。
【選択図】　　図１
0003099746.tif 000002
【実用新案登録請求の範囲】
【請求項１】
　回路板にＵＳＢインタフェース回路、電源回路、中央処理装置（ＣＰＵ）、二つのコネクタ及び電池が設置されることにより構成されるデジタルデータ転送装置であって、
　電源は、電源回路により中央処理装置及びＵＳＢインタフェース回路へ動作に必要な電力を提供可能であり、
　中央処理装置は、一時保存するメモリーが内蔵され、各部のユニットを接続して制御可能であり、内蔵されたプログラムの命令によりデータの入力及び出力を執行可能であり、
　コネクタは、データの高速な転送を提供する汎用シリアルバスコネクタ（ＵＳＢコネクタ）であって、中央処理装置と繋がることでデジタルデータを転送可能なＵＳＢインタフェース回路に接続され、
　デジタルデータがある情報製品から外の情報製品へ転送されるとき、互いに受送信を実行する二つの情報製品の間では、それらのコネクタを二つのコネクタ上に接続することにより、中央処理装置の制御によってデータが直接転送、保存されることを特徴とするデジタルデータ転送装置。
【請求項２】
　中央処理装置は電源スイッチを有し、電源を供給するタイミングを制御することを特徴とする請求項１に記載のデジタルデータ転送装置。
【請求項３】
　中央処理装置は選択ボタンを有し、単一のデータか、全部のデータを送信先の保存装置にコピーするかを選択可能であることを特徴とする請求項２に記載のデジタルデータ転送装置。
【請求項４】
　回路板は電力の表示ランプを有することを特徴とする請求項３に記載のデジタルデータ転送装置。
【請求項５】
　回路板は執行状態の表示ランプを有することを特徴とする請求項４に記載のデジタルデータ転送装置。
【考案の詳細な説明】
【技術分野】
【０００１】
　本考案は、デジタルデータ転送装置に関すものであり、特にデジタルデータの転送、保存に用いられものに関する。
【背景技術】
【０００２】
　情報技術は快速に発展するのに伴い、デジタルデータの転送速度、保存の容量を大幅に増加させるため、大量のデジタルデータは保存された後、コンピューターにより読み取られ使用されることが一般である。例えば、ＭＤ、録音ペン、ＰＤＡ、ＰＶＲ（Ｐｅｒｓｏｎａｌ　Ｖｉｄｅｏ　ｒｅｃｏｒｄｅｒ）、デジタルカメラ、ＵＳＢ　ＣＤ−ＲＯＭ、Ａ／Ｖ　Ｄｅｃｏｄｅｒ、ＵＳＢ　ＭＰ３　Ｐｌａｙｅｒ及びＣＡＲＤ　ＲＥＡＤＥＲ等のこれらの情報設備との間にデータを転送、保存するために、通常のやり方は、これらの情報設備とコンピューターをコードにより接続し、コンピューターの本体を媒介とし、互いのデジタルデータを転送、保存したり、読み取ったりする。
【考案の開示】
【考案が解決しようとする課題】
【０００３】
　しかしながら上述の方式は、コンピューターの本体を媒介としなければならなく、又転送する際にコンピューターの本体が一台必要である。実際、場合により、コンピューターがないか、空いているコンピューターがないかも知れない。従って使用の不都合さを生じさせる。
【０００４】
　したがって本考案の目的は、各種類の情報製品の間でのデータを、コンピューターの媒介によらず、互いに直接転送、保存することが可能であるデジタルデータ転送装置を提供することにある。
【課題を解決するための手段】
【０００５】
　上述の目的を達成するために本考案の請求項に記載のデジタルデータ転送装置は、回路板に少なくとも電源回路、ＵＳＢインタフェース回路、中央処理装置（ＣＰＵ）、二つのコネクタを設置し、そのうちのコネクタは高速な転送が可能なＵＳＢコネクタであり、デジタルデータを、ある情報製品から外の情報製品へ転送する際、互いに受送信しようとする二つの対象製品を高速な転送が可能なコネクタに接続することで、中央処理装置により直接転送、保存することである。
【０００６】
　本考案の請求項では、上述のうちの高速な転送が可能なコネクタは汎用シリアルバスコネクタ（Ｕｎｉｖｅｒｓａｌ　Ｓｒｉａｌ　Ｂｕｓ；ＵＳＢ）である。
【考案を実施するための最良の形態】
【０００７】
　以下、本考案の実施例を図面に基づいて説明する。
　図１に示すように、デジタルデータ転送装置１は、回路板２には少なくとも電源回路２１、ＵＳＢインタフェース回路２２、中央処理装置（ＣＰＵ）３、コネクタ４１、コネクタ４２及び電池５を有する。そのうち、電源５は電源回路２１により中央処理装置（ＣＰＵ）３及びＵＳＢインタフェース回路２２に安定な直流電源を適当に提供する。中央処理装置（ＣＰＵ）３は一時保存するメモリーを内蔵することにより、各部のユニットを接続し駆使し、内蔵されたプログラムの命令によりデータの入力及び出力を執行する。コネクタ４１、コネクタ４２はデータの高速な転送を提供する汎用シリアルバスコネクタ（ＵＳＢコネクタ）であってＵＳＢインタフェース回路２２に接続され中央処理装置（ＣＰＵ）３と繋がることでデジタルデータを転送する。
【０００８】
　上述の構造により、ユーザはデジタルデータ転送装置１の二つのコネクタ４１、コネクタ４２をそれぞれ情報製品（図４に示す）に接続する際、デジタルデータ転送装置１は中央処理装置（ＣＰＵ）３の動作により、先に保存装置（データを送信しょうとする情報製品なら、コネクタ４１上に固定、接続しなければならない）には編集ファイル（例えばｓ−ｂｏｘ００１）が有るか否かを検知する。有るとしたら、このファイル中の全てのデータを中央処理装置（ＣＰＵ）３の一時保存するメモリーにコピーする。無ければ、根元ファイルにおける全ての内容を中央処理装置（ＣＰＵ）３の一時保存するメモリーにコピーする。続いて、送信先の保存装置（データを受信しようとする情報製品なら、コネクタ４２上に固定、接続しなければならない）にはその外の編集ファイル（例えばｓ−ｂｏｘ００１。００１は順序番号、コピーするたびに１をたす）が有るか否かを検知する。無ければ、ｓ−ｂｏｘ００１と名付けるファイルを設ける。有る場合は、名前（ｓ−ｂｏｘ００２或はｓ−ｂｏｘ００３等、順番通り）を付けてファイルを設け、その後、一時保存するメモリーにおける保存装置中の全ての内容を、送信先の保存装置のファイル中にコピーすることで、必要に応じて情報製品の間でデータを転送する目的を達成することが可能である。
【０００９】
　図２、図３に示す本考案による実施例は、図１のように、中央処理装置（ＣＰＵ）３上には電源スイッチ６、選択ボタン７及び電源表示ランプ８、状態表示ランプ等を設置しなければならない。そのうち、電源スイッチ６は電源を供給するタイミングを制御し、使用が不要の場合、電源を切ればエネルギーを節約する。選択ボタン７は、データをコピーする選択ボタンであって、単一のデータか、全部のデータを送信先の保存装置にコピーするのかを選択する。又、電源表示ランプ８及び状態表示ランプ９は必要に応じて給電状態及びデータ−転送の執行状態を表示し、ユーザに操作の便宜を与える。
【００１０】
　上述のような構造を使用する場合、デジタルデータを、ある情報製品から外の情報製品へ転送しようとする際、データを受送信しようとする二つの情報製品上のＵＳＢコネクタを本考案によるデジタルデータ転送装置のコネクタ４１、コネクタ４２に接続し、電源スイッチ６を入れ、選択ボタン７により単一のデータか、全部のデータファイルをコピー、保存するのかを選択することで、中央処理装置（ＣＰＵ）３を介し、前述の方法により保存装置（送信元の情報製品）のデジタルデータを、送信先の保存装置（資料を保存する情報製品）上に転送し保存すると同時に、ユーザは電源表示ランプ８及び状態表示ランプ９によりデジタルデータ転送装置１の使用状態を確認することが可能である。
【００１１】
　図４は、本考案によるデジタルデータ転送装置１は、実際に二つの情報製品と互いに接続し、使用される状態を示す。例えばＭＤ及び携帯式磁気ディスクドライブ（ＨＤＤ−Ｅｘｔｅｒｎａｌ　Ｓｔｏｒａｇｅ）、携帯式磁気ディスクドライブ及び携帯式磁気ディスクドライブ、携帯式磁気ディスクドライブ及びＰＶＲ（Ｐｅｒｓｏｎａｌ　Ｖｉｄｅｏ　Ｒｃｏｒｄｅｒ）、携帯式磁気ディスクドライブ及びＡ／Ｖ　ｄｅｃｏｄｅｒ、ＭＤ及びＡ／Ｖ　ｄｅｃｏｄｅｒ、ＭＤ及びＵＳＢ録音ペン、ＭＤ及びＰＤＡ、ＭＤ及びＭＯ、ＭＤ及びＭＤ、ＭＤ及びデジタルカメラ、ＭＤ及びＵＳＢ ＣＤ−ＲＯＭ、ＭＤ及びＵＳＢフロッピディスクドライブ、ＭＤ及びＭＰ３ウォークマン（ＭＰ３　ＰＬＡＹＥＲ）、ＭＤ及び電子ブック（ＣＡＲＤ　ＲＥＡＤＥＲ）などは、これらの各種類の情報製品の間でのデジタルデータを転送、保存する際、従来のようにコンピューターの本体を媒介とはぜず、直ちに本考案によるデジタルデータ転送装置１と互いに接続することによりデジタルデータを相互転送、保存することが可能である。
【００１２】
　上述の説明は本考案の良好な一つ例に過ぎなく、本考案により各種の修飾及び変化をするのは登録請求の範囲に属すべきである。
【図面の簡単な説明】
【００１３】
【図１】本考案の実施例によるデジタルデータ転送装置の回路のプロセスを示す図である。
【図２】本考案のもう一つの実施例によるデジタルデータ転送装置の回路のプロセスを示す図である。
【図３】図２に示したデジタルデータ転送装置のを用いた簡素な立体構造を示す図である。
【図４】本考案の実施例によるデジタルデータ転送装置で可能なデジタル転送を示す図である。（本考案では、実に各種類のデジタル情報製品の間で、ＵＳＢ接続コネクタを直接に介するか、ＵＳＢ接続コードを間接に介することにより、デジタルデータを転送するのが可能である。）
【符号の説明】
【００１４】
　１　デジタルデータ転送装置、２　回路板、３　中央処理装置、５　電池、６　電源装置、７　選択ボタン、８　電源表示ランプ、９　状態表示ランプ、２１　電源回路、２２　ＵＳＢインタフェース回路、４１　ＵＳＢコネクタ、４２　ＵＳＢコネクタ
【図１】
0003099746.tif 000003
【図２】
0003099746.tif 000004
【図３】
0003099746.tif 000005
【図４】
0003099746.tif 000006